(57)【要約】無線通信システムにおける電子機器及び方法を提供し、当該電子機器は処理回路を含み、当該処理回路は、複数のユーザー機器がフィードバックするセル間干渉を指示する情報と、セル内干渉を指示する情報とに応じて、複数のユーザー機器に関する伝送リソース配置を確定するように配置されている。本開示の少なくとも一つの実施例によれば、マルチユーザーＭＩＭＯ（ＭＵ-ＭＩＭＯ）伝送を行う場合にマルチユーザーペアリングを確定するためのシステムオーバーヘッドがペアリング待ちのユーザー機器の数が大きいことに起因して著しく増加する問題を効果的に解決し、システムの公平性およびスループットも考慮されている。【選択図】図１
2020516087.tif 000002
【特許請求の範囲】
【請求項１】
無線通信システムにおける電子機器であって、
複数のユーザー機器がフィードバックしたセル間干渉を指示する情報と、セル内干渉を指示する情報とに応じて、前記複数のユーザー機器に関する伝送リソース配置を確定するように配置されている処理回路を含む電子機器。
【請求項２】
前記電子機器は、さらに基地局として作動し、且つ前記処理回路は、さらに、前記複数のユーザー機器にセル間干渉を測定するためのリソースを配置するように配置されている請求項１に記載の電子機器。
【請求項３】
配置したセル間干渉を測定するためのリソースは、チャネル状態情報干渉測定ＣＳＩ-ＩＭリソース、非ゼロパワーチャネル状態情報参照信号ＮＺＰ  ＣＳＩ-ＲＳリソース、及び復調参照信号ＤＭＲＳリソースのうちの一つを含む請求項２に記載の電子機器。
【請求項４】
前記電子機器は、さらに基地局として作動し、且つ前記処理回路は、さらに、複数のユーザー機器がフィードバックしたセル間干渉を指示する情報に応じて、前記複数のユーザー機器にセル内干渉を測定するためのリソースを配置するように配置されている請求項１に記載の電子機器。
【請求項５】
前記処理回路は、さらに、
前記複数のユーザー機器がフィードバックしたセル間干渉を指示する情報に応じて、前記複数のユーザー機器が位置する１つまたは複数のユーザープールを確定し、
各ユーザープールを単位として前記複数のユーザー機器にセル内干渉を測定するためのリソースを配置するように配置されている請求項４に記載の電子機器。
【請求項６】
前記処理回路は、さらに、
各ユーザープールについて、ユーザープール内のユーザー機器の数および位置情報に応じて各ユーザープールを１つまたは複数の候補グループに分割し、
各候補グループを単位として、前記複数のユーザー機器にセル内干渉を測定するためのリソースを配置するように配置されている請求項５に記載の電子機器。
【請求項７】
各ユーザー機器に対して配置するセル内干渉を測定するためのリソースは、当該ユーザー機器に対応するポートに配置される非ゼロパワーチャネル状態情報参照信号ＮＺＰ  ＣＳＩ-ＲＳリソース、及び当該ユーザー機器が位置する候補グループ内の他のユーザー機器に対応するポートに配置されるチャネル状態情報干渉測定ＣＳＩ-ＩＭリソースを含む請求項６に記載の電子機器。
【請求項８】
前記処理回路は、さらに、
各ユーザープールについて、ユーザー機器の数が予定の閾値以下であると、当該ユーザープールを一つの候補グループとし、
ユーザー機器の数が予定の閾値よりも大きいと、ユーザー機器の位置情報に応じて当該ユーザープールを複数の領域に分割し、前記複数の領域のうちの各所定数の領域を一つの候補グループとするように配置されている請求項６に記載の電子機器。
【請求項９】
ユーザープール内のユーザー機器の数が予定の閾値よりも大きい場合に、各ユーザー機器に対して配置するセル内干渉を測定するためのリソースは、当該ユーザー機器に対応するポートに配置される非ゼロパワーチャネル状態情報参照信号ＮＺＰ  ＣＳＩ-ＲＳリソース、及び当該ユーザー機器が位置する候補グループ内の、当該ユーザー機器が位置する領域を除いた他の領域におけるユーザー機器に対応するポートに配置されるチャネル状態情報干渉測定ＣＳＩ-ＩＭリソースを含む請求項８に記載の電子機器。
【請求項１０】
前記処理回路は、さらに、セル間干渉の幅区間を指示する情報を生成するように配置されており、当該情報は前記複数のユーザー機器に送信され、前記複数のユーザー機器により、当該情報に応じて、各々のセル間干渉が存在する幅区間を指示する情報を、各々のセル間干渉を指示する情報としてフィードバックする請求項１に記載の電子機器。
【請求項１１】
前記処理回路は、さらに、配置したセル間干渉を測定するためのリソースがＣＳＩ-ＩＭリソースである場合に、各パワー区間を指示する情報を生成するように配置されており、当該情報は前記複数のユーザー機器に送信され、前記複数のユーザー機器により、当該情報に応じて、各々の隣接セルの参照信号受信パワーが存在するパワー区間を指示する情報を、各々のセル間干渉を指示する情報としてフィードバックする請求項３に記載の電子機器。
【請求項１２】
前記処理回路は、さらに、それがフィードバックするセル間干渉を指示する情報を受信していないユーザー機器、または受信したセル間干渉を指示する情報が予定の閾値よりも高いユーザー機器について、当該ユーザー機器に対してシングルユーザー伝送を行うと確定するように配置されている請求項１に記載の電子機器。
【請求項１３】
前記処理回路は、さらに、前記複数のユーザー機器における何れかのユーザー機器のサービス品質が予定の要求よりも低い場合に、前記何れかのユーザー機器の伝送リソース配置を再確定するか、または前記何れかのユーザー機器に対してシングルユーザー伝送を行うように配置されている請求項１に記載の電子機器。
【請求項１４】
前記電子機器は、さらに基地局として作動し、且つ、
外部装置との通信を実行するように配置されている通信ユニットを含む請求項１〜１３の何れか一項に記載の電子機器。
【請求項１５】
無線通信システムにおける電子機器であって、
基地局のセル間リソース配置に応じて、ユーザー機器が受けるセル間干渉を指示する情報を生成し、当該情報は、前記基地局にフィードバックされ、
前記基地局のセル内リソース配置に応じて、前記ユーザー機器が受けるセル内干渉を指示する情報を生成し、当該情報は、前記基地局にフィードバックされ、前記基地局は前記セル間干渉を指示する情報と、前記セル内干渉を指示する情報とに基づいて、前記ユーザー機器に関する伝送リソース配置を確定するように配置されている処理回路を含む電子機器。
【請求項１６】
前記処理回路は、さらに、前記基地局からのセル間干渉の幅区間を指示する情報に応じて、前記ユーザー機器が受けるセル間干渉が存在する幅区間を指示する情報を、前記セル間干渉を指示する情報として生成するように配置されている請求項１５に記載の電子機器。
【請求項１７】
前記処理回路は、さらに、前記ユーザー機器が受けるセル間干渉が幅区間の何れにも存在しないと、前記セル間干渉を指示する情報を生成しないように配置されている請求項１６に記載の電子機器。
【請求項１８】
前記処理回路は、さらに、前記ユーザー機器が受けるセル間干渉が存在する幅区間、及び幅区間とユーザープールとの対応関係に応じて、前記ユーザー機器が位置するユーザープールを指示する情報を、前記セル間干渉を指示する情報として生成するように配置されている請求項１６に記載の電子機器。
【請求項１９】
前記ユーザー機器が位置するユーザープールを指示する情報は、ビットシーケンスの形式である請求項１８に記載の電子機器。
【請求項２０】
前記処理回路は、さらに、前記基地局のセル間リソース配置に応じて、対応するポートのパワーを測定し、測定されたパワーに応じて前記セル間干渉を指示する情報を生成するように配置されている請求項１５に記載の電子機器。
【請求項２１】
前記処理回路は、さらに、前記ユーザー機器のサービス品質が予定の需要よりも低い場合に、前記基地局に対して前記ユーザー機器に関する伝送リソース配置を再確定するように要求するように配置されている請求項１５に記載の電子機器。
【請求項２２】
前記処理回路は、さらに、シングルユーザーチャネル品質指示ＳＵ-ＣＱＩの形式で、前記セル間干渉を指示する情報をフィードバックするように配置されている請求項１５〜２１の何れか一項に記載の電子機器。
【請求項２３】
前記処理回路は、さらに、マルチユーザーチャネル品質指示ＭＵ-ＣＱＩの形式、またはマルチユーザーチャネル品質指示ＭＵ-ＣＱＩとシングルユーザーチャネル品質指示ＳＵ-ＣＱＩとの差の形式で、前記セル内干渉を指示する情報をフィードバックするように配置されている請求項１５〜２１の何れか一項に記載の電子機器。
【請求項２４】
前記電子機器は、さらに、ユーザー機器として作動し、且つ、
外部装置との通信を実行するように配置されている通信ユニットをさらに含む請求項１５〜２１の何れか一項に記載の電子機器。
【請求項２５】
無線通信システムにおける方法であって、
複数のユーザー機器がフィードバックするセル間干渉を指示する情報と、セル内干渉を指示する情報とに応じて、前記複数のユーザー機器に関する伝送リソース配置を確定することを含む方法。
【請求項２６】
無線通信システムにおける方法であって、
基地局のセル間リソース配置に応じて、ユーザー機器が受けるセル間干渉を指示する情報を生成し、当該情報は、前記基地局にフィードバックされ、
前記基地局のセル内リソース配置に応じて、ユーザー機器が受けるセル内干渉を指示する情報を生成し、当該情報は、前記基地局にフィードバックされ、前記基地局は前記セル間干渉を指示する情報と、前記セル内干渉を指示する情報とに基づいて前記ユーザー機器に関する伝送リソース配置を確定することを含む方法。
【発明の詳細な説明】
【技術分野】
【０００１】
本願は、２０１７年３月２８日に中国専利局に提出した、出願番号が２０１７１０１９２８９０.４であって、発明の名称が「無線通信システムにおける電子機器、及び方法」である中国特許出願の優先権を主張し、本願で、その全ての内容を援用するものとする。
【０００２】
本開示は、無線通信技術分野に関し、より具体的に、複数のユーザー機器の伝送リソース配置を確定する際のシステムオーバーヘッドを低減することができる無線通信システムにおける電子機器、および方法に関する。
【背景技術】
【０００３】
周波数分割多入力-多出力（ＦＤ-ＭＩＭＯ）システムの主な利点の１つは、マルチユーザーＭＩＭＯ（ＭＵ-ＭＩＭＯ）によって生じる容量増加である。しかしながら、干渉測定がなければ、基地局は、ユーザー機器間の干渉状況について知らないから、干渉の大きいいくつかのユーザー機器を一緒にペアリングする可能性がある。すなわち、このようないくつかのユーザー機器に共通の時間周波数リソースを割り当てて、システム性能の大幅な低下をもたらす。このため、マルチユーザーペアリングの前に、基地局は、一般的に、リソースのプレスケジューリングを実行し、ユーザー機器と他のユーザー機器との間でペアリング想定を行うことでそれとペアリングする際の相互干渉状況を測定するようにし、測定結果を基地局に報告する。基地局は、これらの干渉状況を知った後に、どのユーザー機器をペアにするかを決定する。
【０００４】
しかしながら、セル内のペアリング待ちのユーザー機器の数が増加するに従って、伝統の方法でセル全体に亘ってマルチユーザーペアリング想定を実行すると、システムオーバーヘッドが過大になってしまう。さらに、そのような広範囲のペアリング想定のかなりの部分は、何らかの理由（例えば、ユーザー機器間の信号対干渉雑音比（ＳＩＮＲ）の差が大きすぎるなど）によって不必要であり、それによって、大きい資源の浪費が生じる。
【発明の概要】
【発明が解決しようとする課題】
【０００５】
以下では、本開示に関する簡単な概説を説明して、本開示のある局面に関する基本的理解を提供する。この概説が本開示に関する取り尽くし的概説ではないと理解すべきである。それは、本開示の肝心又は重要部分を意図的に特定するものではなく、本開示の範囲を意図的に限定するものでもない。その目的は、簡素化の形式で、ある概念を提供して、後論述するより詳しい技術の前言とするものである。
【０００６】
これに鑑み、本開示の少なくとも一つの実施例は、複数のユーザー機器がＭＵ-ＭＩＭＯ伝送を行うリソース配置を確定する(即ち、複数のユーザー機器をどのようにペアリングするかを確定する)際のシステムオーバヘッドを低減することができる無線通信システムにおける電子機器、及び方法を提供することを目的とする。
【課題を解決するための手段】
【０００７】
本願の一局面によれば、無線通信システムにおける電子機器を提供し、当該電子機器は処理回路を含み、当該処理回路は、複数のユーザー機器がフィードバックするセル間干渉を指示する情報と、セル内干渉を指示する情報とに応じて、複数のユーザー機器に関する伝送リソース配置を確定するように配置されている。
【０００８】
本開示の他の一局面によれば、さらに、無線通信システムにおける電子機器を提供し、当該電子機器は処理回路を含み、当該処理回路は、基地局のセル間リソース配置に応じて、ユーザー機器が受けるセル間干渉を指示する情報を生成し、当該情報は基地局にフィードバックされ、基地局のセル内リソース配置に応じて、ユーザー機器が受けるセル内干渉を指示する情報を生成し、当該情報は基地局にフィードバックされ、基地局はセル間干渉を指示する情報と、セル内干渉を指示する情報とに基づいて、ユーザー機器に関する伝送リソース配置を確定するように配置されている。
【０００９】
本開示の他の一局面によれば、さらに、無線通信システムにおける方法を提供し、当該方法は、複数のユーザー機器がフィードバックさすセル間干渉を指示する情報と、セル内干渉を指示する情報とに応じて、複数のユーザー機器に関する伝送リソース配置を確定することを含む。
【００１０】
本開示の他の一局面によれば、さらに、無線通信システムにおける方法を提供し、当該方法は、基地局のセル間リソース配置に応じて、ユーザー機器が受けるセル間干渉を指示する情報を生成し、当該情報は基地局にフィードバックされ、基地局のセル内リソース配置に応じて、ユーザー機器が受けるセル内干渉を指示する情報を生成し、当該情報は基地局にフィードバックされ、基地局はセル間干渉を指示する情報と、セル内干渉を指示する情報とに基づいてユーザー機器に関する伝送リソース配置を確定することを含む。
【００１１】
本開示の他の局面によれば、さらに、上記本開示による方法を実現するためのコンピュータプログラムコード、コンピュータプログラム製品及び上記本開示による方法を実現するためのコンピュータプログラムコードが記録されたコンピュータ読み取り可能記憶媒体を提供する。
【００１２】
本開示の実施例によれば、基地局によりセル間干渉情報とセル内干渉情報とに基づいて複数のユーザー機器がＭＵ-ＭＩＭＯ伝送を行う際のリソース配置を確定する(即ち、どのユーザー機器が同じ時間-周波数リソースを共有するか、どのユーザー機器がシングルユーザー伝送を行うかなどを確定する)ことにより、従来技術と比べて、マルチユーザーペアリングを行う際のシステムオーバヘッドを大幅に低減し、リソース使用率を向上させることができる。
【００１３】
以下の明細書において、本開示の実施例の他の局面を提供し、その中、詳細な説明は、本開示の実施例の好適な実施例を十分に開示するためのものであり、それを限定するものではない。
【図面の簡単な説明】
【００１４】
本開示は、以下に図面と結びつけて記載された詳細な説明を参照することによりよく理解できる。なお、全ての図面において、同一又は類似する部品を同一又は類似する符号で示している。前記図面は以下の詳細な説明と共に本明細書に含まれ本明細書の一部として構成されており、例を挙げることにより本開示の好適な実施例を説明し、本開示の原理とメリットを解釈する。図面において、
【図１】本開示の実施例による無線通信システムにおける基地局側の電子機器の機能配置例を示すブロック図である。
【図２】本開示の実施例による無線通信システムにおける基地局側の電子機器の他の機能配置例を示すブロック図である。
【図３】本開示の実施例によるセル内リソース配置ユニットの機能配置例を示すブロック図である。
【図４】本開示の実施例による一つの候補グループ内のセル内リソース配置の例を示す模式図である。
【図５Ａ】本開示の実施例によるユーザープール内の領域分割、候補グループの確定の例を示す模式図である。
【図５Ｂ】本開示の実施例によるユーザープール内の領域分割、候補グループの確定の例を示す模式図である。
【図６】本開示の実施例による無線通信システムにおけるユーザー機器側の電子機器の機能配置例を示すブロック図である。
【図７】本開示の実施例によるマルチユーザーペアリングストラテジのシグナリングインタラクション手順の例を示すフローチャートである。
【図８】本開示の実施例による無線通信システムにおける基地局側の方法の手順例を示すフローチャートである。
【図９】本開示の実施例による無線通信システムにおけるユーザー機器側の方法の手順例を示すフローチャートである。
【図１０】本開示の実施例に採用可能な情報処理装置としてのパーソナルコンピュータの概略的構成を示すブロック図である。
【図１１】本開示の技術を応用できる進化型ノード（ｅＮＢ）の概略的配置の第１の例を示すブロック図である。
【図１２】本開示の技術を応用できるｅＮＢの概略的配置の第２の例を示すブロック図である。
【図１３】本開示の技術を応用できるスマートフォンの概略的配置の例を示すブロック図である。
【図１４】本開示の技術を応用できるカーナビゲーション装置の例示的配置の例を示すブロック図である。
【発明を実施するための形態】
【００１５】
以下、図面に基づいて、本開示の例示的な実施例を記述する。明らか、簡明のために、明細書において実際の実施形態の全部特徴を記述していない。但し、理解すべきことは、開発者の具体的な目標を実現するように、これらの実際の実施例を開発する過程で実施形態に特定する決定をしなければならず、例えば、システム及び業務に関する制限条件に適い、且つこれら制限条件は、実施形態が異なることに伴って変わる可能性がある。なお、さらに、理解すべきことは、開発仕事が複雑で、時間がかかる可能性があるが、本開示されている内容に得意な当業者にとって、このような開発仕事はきまり通り行う任務に過ぎない。
【００１６】
ここで、さらに説明する必要がある点は、不必要な詳細な内容によって本開示をぼかすことを避けるために、図面において、本開示のソリューションに緊密に関連する装置構成及び／又は処理ステップのみを示し、本開示にあまり関係がない他の内容を省略した。
【００１７】
本開示の実施例を具体的に記述する前に、以下で、説明の便宜上、任意の二つ以上のユーザー機器を「ペアリングする」ことが言及される場合に、これは、通常、基地局がこれらのユーザー機器に同じ時間周波数リソースを配置することを意味し、そして、任意の二つ以上のユーザー機器を「ペアリング想定する」ことが言及される場合に、これは、通常、基地局がプレスケジューリングを実行することで、これらのユーザー機器に、相応するセル間リソースおよびのセル内リソースを配置することを意味し、これらのユーザー機器は基地局のリソース配置に応じて、異なるペアリングの場合における干渉状況をフィードバックするようにし、基地局がこれらのユーザー機器をペアリングできるか否かを確定するようにする。
【００１８】
リソース使用率を向上するために、基地局は、相互の干渉が小さい幾つかのユーザー機器に対してマルチユーザーペアリングを行って伝送リソースを共有する。ユーザー機器が干渉を測定する場合と、基地局が実際にリソースをスケジューリングする場合とでチャネル状況が変化する可能性があるという問題を回避するために、基地局は、プレスケジューリングを行い、すなわち、ユーザー機器と他のユーザー機器とでマルチユーザーペアリング想定を実行するようにする。しかしながら、ユーザー機器の数が増加すると、マルチユーザーペアリング想定を実行するオーバヘッド及びフィードバックオーバヘッドが急速に増加してしまう。本開示の技術は、このような問題を解決するためになされている。
【００１９】
以下、図１ないし図１４を参照して本開示の実施例について詳細に記述する。以下では、以下の順序に従って記述する。
１.本開示の実施例による無線通信システムにおける基地局側の電子機器
２.本開示の実施例による無線通信システムにおけるユーザー機器側の電子機器
３.本開示の実施例によるマルチユーザーペアリングストラテジのシグナリングインタラクション手順
４.本開示の実施例による無線通信システムにおける基地局側の方法
５.本開示の実施例による無線通信システムにおけるユーザー機器側の的方法
６.本開示に係る電子機器及び方法を実施するための算出機器
７.本開示の技術の応用例
７‐１.基地局についての応用例
７‐２.ユーザー機器についての応用例
(１.本開示の実施例による無線通信システムにおける基地局側の電子機器)
【００２０】
図１は、本開示の実施例による無線通信システムにおける基地局側の電子機器の機能配置例を示すブロック図である。
【００２１】
図１に示すように、当該実施例による電子機器１００は、取得ユニット１０２と、確定ユニット１０４とを含む。
【００２２】
取得ユニット１０２は、複数のユーザー機器からフィードバックされるセル間干渉を指示する情報(第１の干渉情報)と、セル内干渉を指示する情報(第２の干渉情報)とを取得するように配置されている。
【００２３】
確定ユニット１０４は、取得されたセル間干渉を指示する情報と、セル内干渉を指示する情報とに応じて、これらの複数のユーザー機器に関する伝送リソース配置を確定し、即ち、これらの複数のユーザー機器のペアリング状況を確定するように配置されている。このように、基地局によりセル間干渉情報とセル内干渉情報とに基づいてマルチユーザーペアリング状況を確定することにより、リソース使用率を向上させるとともに、マルチユーザーペアリングを実行するためのシステムオーバーヘッドを低減することができる。
【００２４】
マルチユーザーペアリングには、例えば、ランダムペアリングアルゴリズム(ＲＰＳ)、直交ペアリングアルゴリズム（ＯＰＳ）および行列式ペアリングアルゴリズム（ＤＰＳ）などのよく使われるアルゴリズムがある。行列式ペアリングアルゴリズムは、ユーザー機器のチャネル情報行列に応じて判断し、式を導出する過程において、ユーザー機器が必ず高いＳＩＮＲ値を有することを条件とし、これはユーザー機器の公平性に悪影響を及ぼし、システムスループットの向上にも役立たない。しかし、ＳＩＮＲ値の低いユーザー機器を破棄しないと、それらがペアリングに参与する場合に、特にＳＩＮＲ値の高いユーザー機器がＳＩＮＲ値の低いユーザー機器とペアになった場合に、前者は後者に大きく干渉し、有害無益である。従って、好ましくは、できるだけ、ＳＩＮＲ値が類似するユーザー機器を選択してペアリングし、システムの公平性とスループットとの間のバランスを取ることが望ましい。
【００２５】
しかしながら、ペアリング前のＳＩＮＲ値を直接にペアリングの判定基準としてペアリングを行うことはできない。これは、ユーザーによる測定の時刻の干渉状況と基地局による実際のスケジューリングの時刻の干渉状況とが異なるという問題を解決するために、基地局は、プレスケジューリングを行うことでマルチユーザーペアリング想定を実行する一方、ＳＩＮＲ値にセル間干渉及びセル内干渉の両方を含み、基地局がマルチユーザーペアリングを行う場合に、ユーザーが受けるセル内干渉はペアリングオブジェクトにより大きく変化する可能性があるためである。
【００２６】
これに鑑み、本開示の実施例において、好ましくは、基地局は、まず、ユーザー機器にセル間リソースを配置し、ユーザー機器がセル間リソース配置に応じてフィードバックしたセル間干渉を指示する情報に基づいて(第１の干渉情報とも称される)、さらにユーザー機器にセル内リソースを配置し、ユーザー機器がセル内リソース配置に応じてフィードバックしたセル内干渉を指示する情報(第２の干渉情報とも称される)に基づいて、ユーザー機器の伝送リソース配置を確定できる(即ち、マルチユーザーペアリングストラテジーを確定する)。このような階層的なプレスケジューリングにより、従来技術におけるユーザー機器の数の増加によるマルチユーザーペアリングを行うシステムオーバヘッドの急激な増加の問題を解決することができる。
【００２７】
以下、図２に示す電子機器の他の機能配置例を参照して、基地局の階層的なプレスケジューリングストラテジーについて詳細に記述する。図２は、本開示の実施例による無線通信システムにおける基地局側の電子機器の他の機能配置例を示すブロック図である。
【００２８】
図２に示すように、当該実施例による電子機器２００は、セル間リソース配置ユニット２０２と、セル内リソース配置ユニット２０４と、確定ユニット２０６とを含む。以下、各ユニットの機能配置例についてそれぞれ詳細に記述する。
【００２９】
セル間リソース配置ユニット２０２は、複数のユーザー機器にセル間干渉を測定するためのリソースを配置するように配置されている。配置されたセル間干渉を測定するためのリソースは、チャネル状態情報干渉測定(ＣＳＩ-ＩＭ)リソース、非ゼロパワーチャネル状態情報参照信号(ＮＺＰ  ＣＳＩ-ＲＳ)リソース、及び復調参照信号(ＤＭＲＳ)リソースのうちの一つを含み、なお、ＣＳＩ-ＩＭリソースとは、一般的に、ゼロパワーチャネル状態情報参照信号(ＺＰ  ＣＳＩ-ＲＳ)リソースを指す。
【００３０】
好ましくは、セル間リソース配置ユニット２０２は、複数のユーザー機器にセル間ＣＳＩ-ＩＭリソースを配置できる。具体的には、何れかのユーザー機器について、当該ユーザー機器の、隣接セルのＣＳＩ-ＲＳ送信に対応するポートにセル間ＣＳＩ-ＩＭリソースを配置し、即ち、当該ユーザー機器の、隣接セルのＣＳＩ-ＲＳ送信に対応するポートのパワーはゼロにする。このセルの基地局はこれらのポートに送信パワーを有していないので、ユーザー機器は、これらのポートでの受信パワーＰを測定することで、受けるセル間干渉を把握することができる。このようなセル間リソース配置により、ユーザー機器がセル間干渉を測定する複雑さ、及び処理オーバヘッドを低減させることができる。
【００３１】
しかしながら、セル間リソース配置ユニット２０２は、ユーザー機器に、例えば、ＮＺＰＣＳＩ-ＲＳリソース、ＤＭＲＳリソースなどを配置することも可能であると理解すべきであり、これにより、ユーザー機器は、これらの参照信号に基づいてセル間干渉を測定でき、本開示は、具体的に限定しない。
【００３２】
セル内リソース配置ユニット２０４は、複数のユーザー機器からフィードバックされるセル間干渉を指示する情報に応じて、複数のユーザー機器にセル内干渉を測定するためのリソースを配置するように配置されている。
【００３３】
以下、図３を参照してセル内リソース配置ユニットの機能配置例について詳細に記述する。図３は、本開示の実施例によるセル内リソース配置ユニットの機能配置例を示すブロック図である。
【００３４】
図３に示すように、セル内リソース配置ユニット２０４は、グループ化モジュール２０４１と、配置モジュール２０４２とをさらに含む。
【００３５】
グループ化モジュール２０４１は、複数のユーザー機器からフィードバックされるセル間干渉を指示する情報に応じて、複数のユーザー機器が位置する一つまたは複数のユーザープールを確定するように配置されている。ここに記載の「ユーザープール」は、物理的な実際の分割ではなく、ユーザー機器のセル間干渉に応じて行った論理的分割である。
【００３６】
具体的に、グループ化モジュール２０４１は、複数のユーザー機器からフィードバックされるセル間干渉を指示する情報を予定の複数の閾値と比較し、各セル間干渉情報が存在する区間に応じて各ユーザー機器が位置するユーザープールを確定できる。
【００３７】
フィードバックされるセル間干渉を指示する情報が受信パワーであることを例に、予定の複数の閾値は、複数のパワー閾値Ｐ１〜Ｐｎであってもよい。これらのパワー閾値は本セルの基地局送信パワー、及びセル間干渉状況に応じて設定、調整できる。そして、グループ化モジュール２０４１は、受信した受信パワーと予定のパワー閾値とに応じて各ユーザー機器からフィードバックされる受信パワーがパワー区間[０,Ｐ１)、[Ｐ１,Ｐ２)、…[Ｐｎ-１,Ｐｎ]のいずれに位置するかを確定できる。各区間は、また、一つのユーザープールに対応してもよく、これにより、基地局は、各ユーザー機器が位置するユーザープールを確定できる。ユーザー機器からフィードバックされる受信パワーＰがパワー区間のいずれにも存在しないと、即ち、Ｐ>Ｐｎであると、グループ化モジュール２０４１は、当該ユーザー機器がユーザープールのいずれにもにも属しないと確定でき、それをペアリング待ちのユーザー機器とせず、当該ユーザー機器に対してシングルユーザー伝送を行う。これは、当該ユーザー機器が受けるセル間干渉が大きく、それを他のユーザー機器とペアリングすると、他のユーザー機器に大きく干渉し、システム性能が低下する可能性があるからである。
【００３８】
好ましくは、ユーザー機器がセル間干渉情報をフィードバックするシグナリングオーバーヘッドを低減するために、電子機器２００は、生成ユニットをさらに含むこともできる(選択的に、図２において点線のブロックで示す)。当該生成ユニットは、セル間干渉の幅区間を指示する情報を生成するように配置されており、当該情報は複数のユーザー機器に送信され、これにより、複数のユーザー機器は当該情報に応じて各々のセル間干渉が存在する幅区間を指示する情報を、各々のセル間干渉を指示する情報としてフィードバックできる。例として、以上のように、配置されたセル間干渉を測定するためのリソースがＣＳＩ-ＩＭリソースである場合に、生成されたセル間干渉の幅区間を指示する情報は、各パワー区間を指示する情報であってもよく、例えば、上記パワー閾値Ｐ１〜Ｐｎであってもよい。そして、基地局は、例えば、無線リソース制御(ＲＲＣ)シグナリングにより、生成ユニットによって生成される各パワー閾値Ｐ１〜Ｐｎをユーザー機器に通知してもよい。代わりに、ＭＡＣ層シグナリング、物理層シグナリングなどによりパワー閾値を通知してもよいが、パワー閾値は頻繁に変化せず、相対的に安定した配置であるので、好ましくは、周期が長いＲＲＣシグナリングにより通知し、リソースが限られたＭＡＣ層シグナリング、及び物理層シグナリングを節約する。このように、ユーザー機器は、それによって測定された受信パワーＰを受信した各パワー閾値Ｐ１〜Ｐｎと比較することでそのパワー区間を確定し、パワー区間とユーザープールとの対応関係に応じて、ユーザー機器が位置するユーザープールを示すビットシーケンスを、ユーザー機器が受けるセル間干渉を指示する情報として生成してもよい。
【００３９】
一方、ユーザー機器が、測定および比較により、自身の受信パワーＰがパワー閾値Ｐｎよりも大きいことを発見した場合に、即ち、当該ユーザー機器はユーザープールのいずれにも属しないと、基地局にフィードバックしなくてもよい。このように、そのフィードバック情報を受信していないユーザー機器について、基地局は、それに対してシングルユーザー伝送を行うと確定することができる。
【００４０】
このように、ユーザー機器の位置するユーザープールを示すビットシーケンスが当該ユーザー機器の受けるセル間干渉に対応するので、基地局は、当該ビットシーケンスに応じてユーザー機器が受けたセル間干渉の状況を把握することができる。また、ビットシーケンスの形式で、セル間干渉を指示する情報をフィードバックすることにより、ユーザー機器のフィードバックシグナリングオーバーヘッドを大幅に低減することができる。
【００４１】
配置モジュール２０４２は、各ユーザープールを単位として複数のユーザー機器にセル内干渉を測定するためのリソースを配置するように配置されている。
【００４２】
本開示の実施例によれば、グループ化モジュール２０４１はユーザー機器が受けるセル間干渉に基づいて各ユーザー機器が属するユーザープールを確定した後、配置モジュール２０４２は、ユーザープールを単位として、セル内リソースを配置することができる。このように、何れかのユーザー機器について、マルチユーザーペアリング想定を行う範囲はセルの全体から、当該ユーザー機器が属するユーザープールに縮小することができ、ある程度でシステムオーバーヘッドを低減する。また、各ユーザープール内のユーザー機器が受けるセル間干渉が同一の範囲内にあるので、ＳＩＮＲ値の差が大きすぎるユーザー機器がペアになることを回避し、システム性能を確保することができる。
【００４３】
ユーザープール内のユーザー機器の数が大きい場合に、マルチユーザーペアリング想定を行うシステムオーバーヘッドをさらに低減するために、各ユーザープールにおけるユーザー機器の地理的位置情報に応じてユーザープールにおけるユーザー機器をグループ化して、マルチユーザーペアリング想定を行う範囲をさらに短縮することも考慮できる。
【００４４】
好ましくは、グループ化モジュール２０４１は、さらに、各ユーザープールについて、ユーザープール内のユーザー機器の数および位置情報に応じて各ユーザープールを１つまたは複数の候補グループに分割するように配置でき、且つ、配置モジュール２０４２は、さらに、各候補グループを単位としてユーザー機器にセル内干渉を測定するためのリソースを配置するように配置できる。
【００４５】
好ましい例として、ユーザー機器が干渉の測定を行う複雑さ及び処理オーバーヘッドを低減するために、各ユーザー機器に対して配置したセル内干渉を測定するためのリソースは、当該ユーザー機器に対応するポートに配置される非ゼロパワーチャネル状態情報参照信号(ＮＺＰＣＳＩ-ＲＳ)リソース、当該ユーザー機器が位置する候補グループ内の他のユーザー機器に対応するポートに配置されるチャネル状態情報干渉測定ＣＳＩ-ＩＭリソースを含むことができる。このように、何れかのユーザー機器について、候補グループ内の他のユーザー機器に対応するポートの送信パワーはゼロにセットされる(即ち、ＣＳＩ-ＩＭリソースが配置される)ので、ユーザー機器は、相応するポートでの受信パワーを測定するだけで、当該ポートに対応するユーザー機器間の干渉状況を確定でき、これにより、干渉測定を行う処理オーバーヘッドを大幅に低減することができる。
【００４６】
図４は、本開示の実施例による一つの候補グループにおけるセル内リソース配置の例を示す模式図である。ここで、図４に示すセル内リソース配置模式図は、一つの候補グループ内でユーザー機器に特定されるセル内リソース配置について便宜に説明するためのものであり、実際のポート区分、及びユーザー機器の全てのポートでのリソース配置を示すものではない。
【００４７】
図４に示すように、当該候補グループに六つのユーザー機器ＵＥ１〜ＵＥ６を含み、ポート１〜６がそれぞれＵＥ１〜ＵＥ６に対応すると仮定する。ＵＥ１について、ポート１にＮＺＰ  ＣＳＩ-ＲＳリソースを配置し、残ったポート２〜６にＣＳＩ-ＩＭ(即ち、ＺＰ  ＣＳＩ-ＲＳ)リソースを配置する。ＵＥ２について、ポート２にＮＺＰ  ＣＳＩ-ＲＳリソースを配置し、残ったポート１、３〜６にＣＳＩ-ＩＭ(即ち、ＺＰ  ＣＳＩ-ＲＳ)リソースを配置する。同様に、候補グループを単位として、その中の各ユーザー機器にセル内リソースを配置し、即ち、各候補グループは専用のセル内リソース配置を有する。このように、何れかのユーザー機器について、候補グループ内の他のユーザー機器に対応するポートにおける送信パワーは全部ゼロにセットされるので、当該ユーザー機器は、対応するポート上の受信パワーを測定するだけで他のユーザー機器との間のセル内干渉を測定して得ることができる。例えば、図４に示すＵＥ１を例に、ＵＥ１は、そのポート２での受信パワーを測定することで、ＵＥ１とＵＥ２とがベアリングされる場合の(即ち、時間周波数リソースを共有する場合に)相互の干渉を把握することができ、そのポート３上の受信パワーを測定することで、ＵＥ１とＵＥ３とがペアリングされる場合の相互の干渉を把握することができ、以下に同様に行う。
【００４８】
理解すべきことは、図４に示す一つの候補グループのセル内リソース配置は、好ましい例に過ぎず、限定しない。そして、当業者は、その他のリソース配置方式を想到することもでき、ユーザー機器が異なるユーザー機器とペアリングを行う場合のセル内干渉を測定して得ることができればよい。
【００４９】
また、図４に示す各ユーザー機器の六つのポートに配置したリソースは、当該候補グループ内に六つのユーザー機器を含み且つ各ユーザー機器が候補グループ内の他のユーザー機器とペアリング想定を行う場合に対応するためであり、各ユーザー機器が実際に六つのポートのみを含むことを表明しない。逆に、実際の候補グループ配置、及びペアリング想定を行うオブジェクトに応じて、各ユーザー機器のより多いまたはより少ないポートに相応するリソースを配置することができる。
【００５０】
以下、候補グループの確定についてより詳細に記述する。具体的に、各ユーザープールについて、ユーザー機器の数が予定の閾値以下であると、グループ化モジュール２０４１は、当該ユーザープールをさらに区分せず、当該ユーザープールを一つの候補グループとしてセル内リソースを配置してもよい。配置モジュール２０４２は候補グループを単位としてセル内リソースを配置するので、当該予定の閾値の大きさは、例えば、基地局が各候補グループに割り当てることができるリソースの数に応じて確定できる。
【００５１】
一方、ユーザープール内のユーザー機器の数が当該予定の閾値よりも大きく、システムオーバーヘッドが依然として大きいか、または必要なリソースの数がシステムが割り当てることができるリソースの数を超えると、グループ化モジュール２０４１は、さらに、ユーザープール内のユーザー機器の地理的位置情報に応じて、当該ユーザープールにおけるユーザー機器を複数の領域に分割し、複数の領域の所定数の領域を一つの候補グループとしてもよい。一つの好ましい例として、各ユーザープールにおける地理位置が近接するユーザー機器を一つの領域に分割し、各領域内のユーザー機器の数を大体等しくする。
【００５２】
以下、図５Ａ、図５Ｂを参照して本開示の実施例によるユーザープールにおけるユーザー機器の領域分割及び候補グループ確定の例について詳細に記述する。ここで、図５Ａ、図５Ｂにおいて、各領域エッジを示す実線は、ユーザー機器の領域分割状況を示すためのものであり、実際には存在せず、さらに、領域分割は、実際のペアリング需要に基づいて基地局によって調整されてもよい。例えば、ユーザープール内のユーザー機器数が１２個であるとすると、二つのユーザー機器のペアリングを行う場合に、ユーザー機器の地理的位置に応じて、領域０、領域１、領域２、領域３の四つの領域に分割し、各領域のユーザー機器数は３個である。一方、例えば、三つのユーザーのペアリングを行うと、ユーザー機器の地理的位置に応じて、領域０、１、２の三つの領域に分割してもよく、各領域内のユーザー機器の数量は４個である。
【００５３】
図５Ａに示すように、二つのユーザーのペアリングを行うと仮定し、即ち、二つのユーザー機器に同じ時間周波数リソースを配置してＭＵ-ＭＩＭＯ伝送を行うと仮定し、ユーザープールにおけるユーザー機器の数は１２個であり、且つユーザー機器の地理的位置に応じて、四つの領域０、１、２、３に分割し、各領域におけるユーザー機器の数は３個である。この場合に、二つの領域を一つの候補グループとしてペアリング想定を行ってもよい。例えば、好ましくは、隣接する二つの領域を一つの候補グループとして、即ち、領域０及び領域１を一つの候補グループとし、且つ領域２及び領域３を一つの候補グループとしてもよい。これは、隣接領域におけるユーザー機器間の距離が適切であり、距離が近すぎるユーザー機器がペアになることで相互干渉が大きくなることがなく、距離が大きすぎるユーザー機器がペアになることで、割り当てられた共通の時間周波数リソースがペアリングされるユーザー機器をカバーできないこともない(例えば、ビームフォーミングの場合に、割り当てられた同一のビームの幅はペアリングされるユーザー機器をカバーできない)。もちろん、これは、好ましい例に過ぎず、限定しない。候補グループの確定は、実際の状況に応じて調整されてもよい。例えば、領域０及び領域２を一つの候補グループとし、領域１及び領域３を一つの候補グループとするなどして、本開示はこれに限定されない。
【００５４】
好ましくは、各領域内のユーザー機器は、それが位置する候補グループ内の他の領域における他のユーザー機器のみとペアリング想定を行う。これは、一つの領域におけるユーザー機器の距離が小さすぎるため、相互干渉が大きいからである。従って、それらがペアにならないことが好ましい。即ち、セル内リソースを配置する場合に、好ましくは、各ユーザー機器に対して配置するセル内干渉を測定するためのリソースは、当該ユーザー機器に対応するポートに配置されるＮＺＰ  ＣＳＩ-ＲＳリソース、及び当該ユーザー機器が位置する候補グループ内の、当該ユーザー機器が位置する領域を除く他の領域におけるユーザー機器に対応するポートに配置されるＣＳＩ-ＩＭリソースを含む。
【００５５】
具体的に、また、図４に示す場合を例に、候補グループ内に六つのユーザー機器ＵＥ１〜ＵＥ６が含まれると仮定し、ＵＥ１〜ＵＥ３は同一の領域に属し、且つＵＥ４〜ＵＥ６は同一の領域に属する。この場合、各ユーザー機器は候補グループ内の他の領域におけるユーザー機器とペアリング想定を行うだけであり、よって、セル内リソースを配置する場合に、実際に、ユーザー機器の四つのポートに相応するリソースを配置するだけでよい。具体的に、ＵＥ１を例に、図４を参照して、ＵＥ１は、別の領域におけるＵＥ４〜ＵＥ６とペアリング想定を行うだけであるので、ＵＥ１に対応するポート１にＮＺＰ  ＣＳＩ-ＲＳリソースを配置し、ＵＥ４〜ＵＥ６に対応するポート４〜６にＺＰ  ＣＳＩ-ＲＳリソースを配置することができ、これにより、ＵＥ１は、対応するポート４〜６での受信パワーを測定するだけで、それぞれＵＥ４〜ＵＥ６とペアリングをする場合のセル内干渉を得ることができる。この場合、ＵＥ１のＵＥ２及びＵＥ３に対応するポート２、３にリソースを配置する必要がなく、言い換えれば、この場合、ＵＥ１はＵＥ２及びＵＥ３に対応するポートを設置する必要がない。ＵＥ２、ＵＥ６のポートリソース配置はＵＥ１と類似するので、詳細はここで記述しない。
【００５６】
このように、ペアリング想定を行うシステムオーバーヘッドより低減することができる。具体的には、図５Ａを例に、さらに領域分割を行わない場合には、ユーザープールにおける各ユーザー機器がペアリング想定を行う数が１１であり、図５Ａに示すように領域分割を行った後に、各領域における各ユーザー機器がペアリング想定を行う数が３に減少するので、このように、システムにとって、ユーザープールにおける１２個のユーザー機器に対してマルチユーザーペアリング想定を行う可能な組合せ数は元の１２*１１＝１３２から３*３+３*３＝１８に減少する。
【００５７】
他の一例として、図５Ｂに四つのユーザーのペアリングの場合の例を模式的に示す。図５Ｂに示すように、依然として、ユーザープールにおけるユーザー機器の数が１２個であり、四つの領域０、１、２、３に分割し、各領域におけるユーザー機器の数が３個である場合を例にする。４つのユーザー機器をペアリングする場合、この４つの領域を１つの候補グループとして、毎回、４つの領域からそれぞれ１つのユーザー機器を選択してペアリング想定を実行する。この場合、各ユーザー機器のセル内リソース配置は以上図４を参照して記述した原理と同じであるので、ここで重複して詳細に記述しない。この場合に、システムにとって、ユーザープールにおける１２個のユーザー機器に対してマルチユーザーペアリング想定を行う可能な組み合せ数は、元の１２*１１*１０*９＝１１８８０から３*３*３*３＝８１に減少する。このように、ペアリング待ちのユーザー機器の数が大きい場合に、本開示の実施例によるマルチユーザーペアリングストラテジによれば、特にシステムオーバーヘッドの低減に有効であることが分かる。
【００５８】
また、図５Ａ、図５Ｂに示す領域分割及び候補グループ確定は例に過ぎず、限定しない。当業者であれば、実際の状況と結びつけて本開示の原理に基づいて、適切な領域分割及び候補グループを確定することができる。さらに、このような変形もまた本開示の範囲内に入るとみなされるべきである。
【００５９】
上記本開示の実施例によれば、基地局は、まず、ユーザー機器にセル間リソースを配置し、ユーザー機器がセル間リソース配置に応じてフィードバックしたセル間干渉情報に基づいてユーザー機器を一つまたは複数のユーザープールに分割し、さらに、ユーザープールにおけるユーザー機器の数と位置情報とに基づいてユーザープールにおけるユーザー機器を一つまたは複数の候補グループに分割し、候補グループを単位としてセル内リソースを配置し、ユーザー機器がセル内リソース配置に応じてフィードバックしたセル内干渉情報に基づいてセル内のユーザー機器ペアリング状況を確定し、相応する伝送リソース配置を行う。このように、実際に、基地局のプレスケジューリングは、第１の段階のプレスケジューリングであるセル間リソース配置と、第２の段階のプレスケジューリングであるセル内リソース配置との二段階を含む。このように、階層的なプレスケジューリングを実行することにより、マルチユーザーペアリング想定を実行するシステムオーバーヘッドを大幅に低減するとともに、システムの公平性とスループットとの間のバランスを確保することができる。
【００６０】
好ましくは、セル内のあるユーザー機器が既にペアリング状態にあると、これらのユーザー機器に対して上記階層的なプレスケジューリングを実行せず、且つこれらのユーザー機器も基地局にそれが受けるセル間干渉及びセル内干渉の相関情報をフィードバックしない。これらのユーザー機器のサービス品質が予定の要求よりも低いと、例えば、ユーザー機器のサービス品質(ＱｏＳ)の値が予定の閾値よりも低いか、またはデータの伝送が頻繁に失敗すると、基地局は、これらのユーザー機器の現在のペアリングを停止し、上記階層的なプレスケジューリングを実行することにより改めてユーザー機器ペアリングを行うか(即ち、改めてこれらのユーザー機器に伝送リソースを割り当てる)、または、これらのユーザー機器に対してシングルユーザー伝送を実行する。
【００６１】
本開示の実施例の技術によれば、特に、システム内ペアリング待ちのユーザー機器の数が大きく、ペアリング想定を行うシステムオーバーヘッドが快速に増加する問題の解決に有効である。しかしながら、システムにおけるペアリング待ちのユーザー機器の数が少ない場合に、本開示の方案により節約されるオーバーヘッドが限られ、且つユーザー機器が基地局に干渉情報のフィードバックを二回に行うことも一部のシステムリソースを占有する。従って、この場合、本開示の方案を実行する代わりに、先行技術における元のマルチユーザーペアリングソリューションを採用してシステム全体に亘ってペアリング想定を行ってもよい。従って、好ましくは、予め一つの閾値を設定し、基地局はペアリング待ちのユーザー機器の数に基づいて、元のペアリングソリューションと本開示によるペアリングソリューションとの間で切り替え、最適な総合システム性能を得ることができる。具体的に、例えば、ペアリング待ちのユーザー機器の数が当該閾値以下である場合に、元のペアリングソリューションを実現し、ペアリング待ちのユーザー機器の数が当該閾値より大きい場合、システムオーバーヘッドを低減するために、本開示によるペアリングソリューションに切り替えて実行することができる。
【００６２】
以上、好ましい例として、基地局は、まず、セル間リソース配置を行ってセル間干渉情報を取得し、そしてセル間干渉情報に基づいてセル内リソースを配置し、セル内干渉情報を取得し、セル内干渉情報に基づいて、最終のマルチユーザーペアリング状況を確定することを説明したが、これは、一般の場合に、ユーザー機器が受けるセル間干渉は比較的に安定しているが、セル内干渉はペアリングオブジェクトの違いによって大きく変化する可能性があることを考慮した。よって、まず、第１の段階のプレスケジューリングとして、セル間リソースを配置し、第２の段階のプレスケジューリングとして、セル内リソースを配置することにより、できるだけＳＩＮＲ値が類似するユーザー機器がペアになるように保証でき、システムの公平性とスループットの良好なバランスを実現することができる。しかしながら、実際に、具体的システム環境に応じて、第１の段階のプレスケジューリングとしてセル内リソースを配置し、第２の段階のプレスケジューリングとして、セル間リソースを配置してもよく、本開示ではこの順序は限定しない。
【００６３】
ここで、上記電子機器１００、２００は、チップレベルで実現されてもよいし、他の外部部品を含むことで装置レベルで実現されてもよい。例えば、電子機器１００、２００は全体として基地局として作動してもよく、且つ通信ユニットを含み(選択的に、破線ブロックで示す)、外部装置との通信を実行する。例えば、通信ユニットは、ユーザー機器との通信を実行し、ユーザー機器に上記パワー閾値、セル間リソース配置情報、セル内リソース配置情報などを通知し、ユーザー機器からフィードバックされるセル間干渉を指示する情報、セル内干渉を指示する情報などを受信することなどを含む。また、ここで通信ユニットの具体的実現形態は限定されず、一つまたは複数の通信インタフェースを含んでもよく、異なる外部装置との通信をサポートする。
【００６４】
以下、上記基地局側の電子機器の実施例に対応して、ユーザー機器側の電子機器の機能配置例を記述する。
(２.本開示の実施例による無線通信システムにおけるユーザー機器側の電子機器)
【００６５】
図６は、本開示の実施例による無線通信システムにおけるユーザー機器側の電子機器の機能配置例を示すブロック図である。
【００６６】
図６に示すように、当該実施例による電子機器６００は、第１の情報生成ユニット６０２と、第２の情報生成ユニット６０４とを含むことができる。
【００６７】
第１の情報生成ユニット６０２は、基地局のセル間リソース配置に応じて、ユーザー機器が受けるセル間干渉を指示する情報を生成するように配置され、当該情報は基地局にフィードバックされる。
【００６８】
好ましくは、以上のように、基地局は、当該ユーザー機器の隣接セル対応するポートにセル間ＣＳＩ-ＩＭリソースを配置し、即ち、隣接セルに対応するポートの送信パワーをゼロにセットし、これにより、第１の情報生成ユニット６０２は、対応するポートでの受信パワーを測定することでユーザー機器が受けるセル間干渉を指示する情報を生成する。
【００６９】
また、好ましくは、ユーザー機器がセル間干渉情報をフィードバックするシグナリングオーバーヘッドを節約するために、基地局は、予めセル間干渉の幅区間を指示する情報を、例えば、ＲＲＣシグナリングによりユーザー機器に通知してもよい。このように、第１の情報生成ユニット６０２は、さらに、測定されたセル間干渉と受信した幅区間の情報とに応じて、そのセル間干渉が存在する幅区間を指示する情報を、セル間干渉を指示する情報として生成し、基地局にフィードバックする。測定されたセル間干渉が何れの幅区間にもないと、第１の情報生成ユニット６０２は、そのセル間干渉を指示する情報を生成しなくてもよい。このように、そのフィードバック情報を受信していないユーザー機器について、基地局は、当該ユーザー機器が受ける干渉が大きすぎて、他のユーザー機器と伝送リソースを共有するのに適さないと確定でき、これにより当該ユーザー機器に対してシングルユーザー伝送を行う。
【００７０】
また、好ましくは、セル間干渉の幅区間を指示する情報は、上記パワー閾値Ｐ１〜Ｐｎであってもよく、これにより、第１の情報生成ユニット６０２は、測定される対応するポートでの受信パワーが存在するパワー区間を判断し、当該ユーザー機器に関するパワー区間を指示する情報(例えば、上記２進ビットシーケンスＭ)を、当該ユーザー機器が受けるセル間干渉を指示する情報として生成する。
【００７１】
さらに、第１の情報生成ユニット６０２は、ユーザー機器が受けるセル間干渉が存在する幅区間、及び幅区間とユーザープールとの対応関係に応じて、ユーザー機器が位置するユーザープールを指示する情報を、セル間干渉を指示する情報として生成してもよい。当該ユーザー機器が位置するユーザープールを指示する情報は、２進ビットシーケンスＭの形式であることが好ましい。仮に、セル内のユーザープールの数がｎであるとすると、ｎは、システムがマルチユーザーペアリングを行う能力などの情報に応じて確定されてもよく、２進ビットシーケンスＭの長さはｌｏｇ２(ｎ)であってもよい。以下、表１にｎ＝４である場合における２進ビットシーケンスＭの例示的形式を示す。
表１  ２進ビットシーケンスＭの例示的形式
2020516087.tif 000003
【００７２】
このように、ユーザー機器が位置するユーザープールを示す２進ビットシーケンスＭの形式で、ユーザー機器が受けるセル間干渉を指示する情報をフィードバックすることにより、ユーザー機器がフィードバックを行うシグナリングオーバーヘッドを大幅に節約することができる。また、ここで、２進ビットシーケンスＭで、ユーザー機器が位置するユーザープールの番号を示すことは、直感的理解の便宜のためであり、実際に、Ｍは、ユーザー機器の受けるセル間干渉が存在する幅区間を示し、これは、論理的にユーザー機器を各ユーザープールに分割する基準である。
【００７３】
一方、ペアリング中のユーザー機器（すなわち、他のユーザー機器と時間周波数リソースを共有する）は、ユーザー機器が位置するユーザープールを示す情報（例えば、信号Ｍ）を生成、フィードバックしない。ユーザー機器のサービス品質（例えば、ＱｏＳ値）がその要求を満足できないか、データ伝送が頻繁に失敗すると、第１の情報生成ユニット６０２は、そのセル間干渉を反映する情報を生成し、当該情報を基地局にフィードバックし、基地局に、改めてそれに伝送リソースを割り当てることを要求し、ユーザー機器が他のユーザー機器と伝送リソースを共有するか否かを確定すること、どの/どれらのユーザー機器と伝送リソースを共有するかのことなどを含む。
【００７４】
ここで、第１の情報生成ユニット６０２によって生成されるセル間干渉を指示する情報の具体的形式は限定されず、ユーザー機器が受けるセル間干渉を反映できるとともに、シグナリングオーバーヘッドを最大限に削減すればよい。一例として、第１の情報生成ユニット６０２によって生成されるセル間干渉を指示する情報は、この場合に測定して得られたシングルユーザーチャネル品質指示(ＳＵ-ＣＱＩ)の形式であってもよく、且つユーザー機器はＳＵ-ＣＱＩの形式で当該情報を基地局にフィードバックしてもよい。
【００７５】
第２の情報生成ユニット６０４は、基地局のセル内リソース配置に応じて、ユーザー機器が受けるセル内干渉を指示する情報を生成するように配置され、当該情報は基地局にフィードバックされ、基地局はセル間干渉を指示する情報と、セル内干渉を指示する情報とに応じて当該ユーザー機器に関する伝送リソース配置を確定する。具体的に、例えば、以上図４を参照して記述したセル内リソース配置に応じて、第２の情報生成ユニット６０４は、対応するポートでの受信パワーを測定することで候補グループ内の各ユーザー機器とペアリング想定を行う場合のセル内干渉情報を生成できる。
【００７６】
一つの好ましい例として、第２の情報生成ユニット６０４によって生成されるセル内干渉を指示する情報は、この場合に測定して得られたマルチユーザーチャネル品質指示(ＭＵ-ＣＱＩ)の形式であってもよいし、この場合に測定して得られたＭＵ-ＣＱＩとシングルユーザーチャネル品質指示(ＳＵ-ＣＱＩ)との差情報(即ち、ΔＣＱＩ＝ＳＵ-ＣＱＩ-ＭＵ-ＣＱＩ)の形式であってもよい。ここに記載のＳＵ-ＣＱＩは、先に保存した、基地局が当該ユーザー機器に対してシングルユーザー伝送を行う際に測定されたＳＵ-ＣＱＩであってもよいし、上記第１の情報生成ユニット６０２によって生成されたＳＵ-ＣＱＩ(即ち、セル間干渉を測定する際に測定されたＳＵ-ＣＱＩ)であってもよい。このように、ユーザー機器は、ＭＵ-ＣＱＩの形式またはΔＣＱＩ(＝ＳＵ-ＣＱＩ-ＭＵ-ＣＱＩ)の形式で、セル内干渉情報を基地局にフィードバックする。チャネル品質指示(ＣＱＩ)はＳＩＮＲ値に対応し且つ占有するシグナリングオーバーヘッドが小さいので、ユーザー機器からフィードバックされるＣＱＩ値に基づいてユーザー機器のペアリング状況を確定することは、ＳＩＮＲ値が類似するユーザー機器がペアになるようにし、即ち、これらのユーザー機器に同じ時間周波数リソースを割り当ててＭＵ-ＭＩＭＯ伝送を行うことを考慮し、シグナリングオーバーヘッドを節約する問題にも気をつけた。このように、基地局は、ユーザー機器からフィードバックされる異なるペアリング想定状況における測定情報(例えば、ＭＵ-ＣＱＩまたはΔＣＱＩ)に基づいてプレスケジューリングの効果が最も良いユーザー機器を選択してペアリングしＭＵ-ＭＩＭＯ伝送を行う。ΔＣＱＩの形式で測定情報をフィードバックする場合に、フィードバックオーバーヘッドをより低減することができる。
【００７７】
ここで、第２の情報生成ユニット６０４によって生成されるセル内干渉を指示する情報の具体的形式は限定されず、異なるペアリング状況のユーザー機器のＳＩＮＲ値を反映できればよい。
【００７８】
ここで記述されるユーザー機器側の電子機器は、上記基地局側の電子機器の実施例に対応するので、ここで詳細に記述されていない内容について、以上の相応する位置の記述を参照でき、ここで重複しない。
【００７９】
なお、電子機器６００は、チップレベルで実現されてもよく、他の外部部品を含むことで装置レベルで実現されてもよい。例えば、電子機器６００は、全体として基地局として作動してもよく、通信ユニット(選択的に、破線ブロックで示す)を含んで、外部装置とのデータ送受信を行ってもよい。例えば、通信ユニットは、基地局との通信を実行し、基地局からのパワー閾値Ｐ１〜Ｐｎ、セル間リソース配置情報、セル内リソース配置情報を受信し、基地局にセル間干渉情報、セル内干渉情報をフィードバックすることなどを含む。また、通信ユニットの具体的実現形態は限定されず、一つまたは複数の通信インタフェースを含んで、異なる外部装置との通信を実現する。
【００８０】
なお、上記各機能ユニット及びモジュールは、それによって実現される具体的機能に従って分割された論理モジュールであり、具体的実現形態を限定しない。実際の実現の際に、前記各機能ユニット及びモジュールは、独立した物理的エンティティとして実現されてもよく、単一のエンティティ（例えば、プロセッサ（ＣＰＵまたはＤＳＰなど）、集積回路など）によって実現されてもよい。
【００８１】
なお、以上図１〜図３、図６に示す機能ブロック図を参照して本開示の装置実施例を記述したが、これは例示に過ぎず、制限せず、当業者であれば、本開示の原理に応じて、示される機能配置例を変更してもよく、例えば、各機能モジュールに対して添加、削除、修正、組合せ等を行い、このような変更の全ては、本開示の範囲内に入ると解釈されるべきである。
[３.本開示の実施例によるマルチユーザーペアリングストラテジを実現するためのシグナリングインタラクション手順]
【００８２】
本開示による技術の動作原理の理解をさらに容易にするために、以下、図７に示すフローチャートを参照して、本開示の実施例によるマルチユーザーペアリングストラテジのシグナリングインタラクション手順について記述する。図７は、本開示の実施例によるマルチユーザーペアリングストラテジを実現するシグナリングインタラクション手順の例を示すフローチャートである。
【００８３】
図７に示すように、まず、ステップＳ７０１において、基地局は、例えば、ＲＲＣシグナリングや、ＭＡＣ層シグナリング、物理層シグナリングにより、セル間干渉の幅区間を指示する情報(例えば、パワー閾値Ｐ１〜Ｐｎ)をユーザー機器に通知し、そして、ステップＳ７０２において、ユーザー機器にセル間ＣＳＩ-ＩＭリソースを配置する。続いて、ステップＳ７０３において、ユーザー機器はセル間リソース配置に基づいてセル間干渉を指示する情報を生成する。具体的に、例えば、隣接セルに対応するポートでの功率Ｐを測定し、パワー閾値と比較し、そして、比較結果をユーザー機器が属するユーザープールを指示するビットシーケンスＭにマッピングする。次に、ステップＳ７０４において、ユーザー機器は生成されたビットシーケンスＭを、セル間干渉を指示する情報として基地局にフィードバックする。ステップＳ７０５において、基地局は、受信した信号Ｍに応じてユーザー機器が属するユーザープールを確定し、さらに、ユーザープール内のユーザー機器の数と、位置情報とに応じてユーザープールを一つまたは複数の候補グループに分割する。続いて、ステップＳ７０６において、基地局は、候補グループを単位としてユーザー機器にセル内リソースを配置する(ユーザー機器自身に対応するポートでのＮＺＰ  ＣＳＩ-ＲＳリソースと、候補グループ内の他のユーザー機器に対応するポートでのＺＰ  ＣＳＩ-ＲＳリソース)。次に、ステップＳ７０７において、ユーザー機器は、セル内リソース配置に応じて異なるペアリング想定状況のセル内干渉を指示する情報、例えば、ＭＵ-ＣＱＩ又はΔＣＱＩを生成し、そして、ステップＳ７０８において、当該情報を基地局にフィードバックする。次に、ステップＳ７０９において、基地局は、ユーザー機器からフィードバックされた測定情報に基づいてユーザー機器のペアリング状況を確定でき、即ち、どのユーザー機器が伝送リソースを共有する必要があるかを確定できる。
【００８４】
ペアリング状況を確定した後、基地局は、これらのペアリングされたユーザー機器に同じ時間周波数リソースを割り当ててデータ伝送を行う。何れかのペアリング済のユーザー機器のサービス品質が低下してその要求を満足できないと、基地局は、当該ユーザー機器と他のユーザー機器とのペアリングを中止し、それに対してシングルユーザー伝送を行うか、当該ユーザー機器のペアリングオブジェクトを再確定する。
【００８５】
なお、図７に示すシグナリングインタラクション手順は、限定的ではなく例示的なものに過ぎず、本開示によるマルチユーザーペアリングソリューションの例示的な実現を模式的に示し、当業者であれば、実際の状況と結びつけて本開示の原理に基づいて、上記シグナリングインタラクション手順を適切に修正することが可能であり、このような修正もまた本開示の範囲内に入るとみなされるべきである。例えば、ステップＳ７０１におけるパワー閾値の通知を省略し、ユーザー機器は、直接に、測定した受信パワーを基地局にフィードバックし、基地局により当該パワーとパワー閾値とに基づいてユーザープールを分割してもよい。このように、ユーザー機器の処理オーバーヘッドを低減できるが、ユーザー機器のフィードバックオーバーヘッドを増加する可能性がある。また、例えば、ステップＳ７０３において、ユーザー機器は比較により、その受信パワーが閾値Ｐｎよりも高いことを発見すると、フィードバック信号Ｍを生成せず、これにより、ステップＳ７０４において、信号Ｍを基地局にフィードバックしない。
【００８６】
上記装置の実施例に対応して、以下、図８、図９を参照して、本開示の実施例による無線通信システムにおける方法について記述する。
[４.本開示の実施例による無線通信システムにおける基地局側の方法]
【００８７】
図８は、本開示の実施例による無線通信システムにおける基地局側の方法の手順例を示すフローチャートである。
【００８８】
図８に示すように、当該方法は、ステップＳ８０１から開始される。ステップＳ８０１において、基地局は、複数のユーザー機器からフィードバックされるセル間干渉を指示する情報と、セル内干渉を指示する情報とを取得する。
【００８９】
続いて、当該方法は、ステップＳ８０２に進む。ステップＳ８０２において、基地局は、ステップＳ８０１で取得されたセル間干渉を指示する情報と、セル内干渉を指示する情報とに応じて、これらの複数のユーザー機器に関する伝送リソース配置を確定する。
【００９０】
好ましくは、当該方法は、複数のユーザー機器にセル間干渉を測定するためのリソースを配置することをさらに含む。配置されたセル間干渉を測定するためのリソースは、チャネル状態情報干渉測定ＣＳＩ-ＩＭリソース、非ゼロパワーチャネル状態情報参照信号ＮＺＰ  ＣＳＩ-ＲＳリソース、及び復調参照信号ＤＭＲＳリソースのうちの一つを含む。
【００９１】
さらに好ましくは、当該方法は複数のユーザー機器からフィードバックされるセル間干渉を指示する情報に応じて、複数のユーザー機器にセル内干渉を測定するためのリソースを配置することをさらに含む。具体的に、ユーザー機器からフィードバックされるセル間干渉を指示する情報に応じて、各ユーザー機器が位置するユーザープールを確定し、次に、各ユーザープール内のユーザー機器の数と、位置情報とに基づいてユーザープールにおける一つまたは複数の候補グループを確定し、候補グループを単位としてセル内リソースを配置する。
【００９２】
セル間リソース配置、ユーザープール確定、候補グループ確定、及びセル内リソース配置を実現するための具体的過程については、以上の装置実施例における相応する位置の記述を参照でき、ここで重複しない。
【００９３】
なお、ここで記述される方法実施例は、以上図１〜図５Ｂを参照して記述された基地局側の電子機器の実施例に対応し、ここで詳細に記述されていない内容について以上の相応する位置の記述を参照し、ここで重複しない。
[５.本開示の実施例による無線通信システムにおけるユーザー機器側の方法]
【００９４】
図９は、本開示の実施例による無線通信システムにおけるユーザー機器側の方法の手順例を示すフローチャートである。
【００９５】
図９に示すように、当該方法は、ステップＳ９０１から開始される。ステップＳ９０１において、ユーザー機器は基地局のセル間リソース配置に応じて、ユーザー機器が受けるセル間干渉を指示する情報を生成し、当該情報は基地局にフィードバックされる。好ましくは、ユーザー機器は、対応するポートでの受信パワーを測定することでセル間干渉を指示する情報を生成してもよい。当該セル間干渉を指示する情報は、ユーザー機器が位置するユーザープールを指示する２進ビットシーケンスＭの形式であってもよく、フィードバックオーバーヘッドを低減させる。セル間干渉を指示する情報を生成、フィードバックする具体的過程は、以上の装置実施例における相応する位置の記述を参照でき、ここで重複しない。
【００９６】
続いて、当該方法はステップＳ９０２に進む。ステップＳ９０２において、ユーザー機器は基地局のセル内リソース配置に応じて、ユーザー機器が受けるセル内干渉を指示する情報を生成し、当該情報は基地局にフィードバックされ、基地局は、セル間干渉を指示する情報と、セル内干渉を指示する情報とに基づいてユーザー機器に関する伝送リソース配置を確定する。具体的に、ユーザー機器は、対応するポートでの受信パワーを測定することで、異なるペアリング想定状況のセル内干渉を反映する情報を生成してもよい。好ましくは、当該セル内干渉を指示する情報は、ＭＵ-ＣＱＩ、及びＭＵ-ＣＱＩと先に保存したＳＵ-ＣＱＩとの差情報のうちの一つを含む。セル内干渉を指示する情報を生成、フィードバックする具体的過程は、以上の装置実施例における相応する位置の記述を参照でき、ここで重複しない。
【００９７】
なお、ここで記述される方法実施例は、以上図６を参照して記述されたユーザー機器側の電子機器の実施例に対応し、ここで詳細に記述されていない内容について以上の相応する位置の記述を参照でき、ここで重複しない。
【００９８】
また、上記図７〜図９に示すフローチャートは例示的なものに過ぎず、制限せず、当業者であれば、本開示の原理に応じて、示される処理フロー例を変更してもよく、例えば、その中の各ステップに対して添加、削除、修正、組合せ等を行い、さらに、このような変更の全ては、本開示の範囲内に入ると解釈されるべきである。
【００９９】
理解すべきことは、本開示の実施例による記憶媒体とプログラム製品における機械が実行可能な命令は、さらに、上記装置実施例に対応する方法を実行するように配置されているので、ここで詳細に記述されていない内容について、前の相応する位置の記述を参考でき、ここで重複して記述しない。
【０１００】
相応するように、上記した機械が実行可能な命令コードを含むプログラム製品を搭載するための記憶媒体も本発明の開示に含まれる。前記記憶媒体には、フロッピーディスク、光ディスク、磁気光ディスク、メモリカード、メモリスティックなどが含まれるが、これらに限定されない。
[６.本開示の電子機器及び方法を実施するための算出機器]
【０１０１】
また、上記の一連の処理と装置はソフトウェア及び/又はファームウェアで実現してもよい。ソフトウェア及び/又はファームウエアで実現する場合、記憶媒体或いはネットワークから専用ハードウェア構造を有するコンピュータ、例えば図１０に示す汎用パーソナルコンピューター１０００に当該ソフトウェアを構成するプログラムをインストールし、当該コンピュータは各種のプログラムがインストールされている場合、各種の機能等を実行できる。図１０は、本開示の実施例における採用可能な情報処理装置としてのパソコンコンピュータの概略的構成を示すブロック図である。
【０１０２】
図１０において、演算処理ユニット（ＣＰＵ）１００１は、読取専用メモリ（ＲＯＭ）１００２に記憶されているプログラム或いは記憶部１００８からランダムアクセスメモリ（ＲＡＭ）１００３にロードされたプログラムに応じて各種の処理を実行する。ＲＡＭ１００３にも、必要に応じて、ＣＰＵ１００１が各種の処理等を実行する際に必要なデータが記憶される。
【０１０３】
ＣＰＵ１００１、ＲＯＭ１００２、ＲＡＭ１００３は、バス１００４を介して互いに接続されている。入力/出力インターフェース１００５もバス１００４に接続されている。
【０１０４】
キーボード、マウス等を含む入力部１００６、ディスプレイ、例えば陰極線管（ＣＲＴ）、液晶ディスプレイ（ＬＣＤ）等、スピーカ等を含む出力部１００７、ハードディスク等を含む記憶部１００８、ネットワークインターフェースカード例えばＬＡＮカード、モデム等を含む通信部１００９が入力/出力インターフェース１００５に接続される。通信部１００９は、ネットワーク、例えばインターネットを介して通信処理を実行する。
【０１０５】
必要に応じて、ドライバー１０１０も入力/出力インターフェース１００５に接続される。リムーバブルメディア１０１０、例えば磁気ディスク、光ディスク、光磁気ディスク、半導体メモリ等は、必要に応じてドライバー１０１０に装着され、その中から読み出したコンピュータプログラムは必要に応じて記憶部１００８にインストールされる。
【０１０６】
ソフトウェアで上記一連の処理を実現する場合、ネットワーク、例えばインターネット或いは記憶装置、例えばリムーバブルメディア１０１１からソフトウェアを構成するプログラムをインストールする。
【０１０７】
当業者であれば、このような記憶媒体は、図１０に示す、その中にプログラムが記憶され、装置とは別途配分してユーザーにプログラムを提供するリムーバブルメディア１０１１に限定されないことを理解すべきである。リムーバブルメディア１０１１の例は、磁気ディスク（フロッピーディスク（登録商標））、光ディスク（光ディスク読取専用メモリ（ＣＤ−ＲＯＭ）とデジタル多用途ディスク（ＤＶＤ）を含む）、光磁気ディスク（ミニディスク（ＭＤ）（登録商標）を含む）、半導体メモリを含む。又は、記憶媒体は、ＲＯＭ１００２、記憶部１００８に含まれるハードディスク等であってもよく、その中にプログラムが記憶され、且つこれらを含む装置と一緒にユーザーに配分される。
[７.本開示の技術の応用例]
【０１０８】
本開示の技術は各種の製品に応用でき、基地局とユーザー機器を含む。具体的に、基地局は、任意のタイプの進化型ノードＢ（ｅＮＢ）、例えばマクロｅＮＢとスモールｅＮＢとして実現されてもよい。スモールｅＮＢはマクロセルよりも小さいセルをカバーするｅＮＢ、例えばピコｅＮＢ、マイクロｅＮＢ、ホーム（フェムト）ｅＮＢであってもよい。代わりに、基地局は、任意の他のタイプの基地局、例えばＮｏｄｅＢとベーストランシーバ基地局（ＢＴＳ）として実現できる。基地局は、無線通信を制御するように配置される本体（基地局デバイスとも称する）と、本体と異なる箇所に設置された一つ又は複数のリモート無線ヘッド（ＲＲＨ）とを含んでもよい。また、以下記述する各種のタイプの端末は、基地局機能を一時又は半恒久的に実行することにより基地局として作動する。
【０１０９】
ユーザー機器は、例えば、移動端末（例えばスマートフォン、タブレットパソコンコンピュータ（ＰＣ）、ノートＰＣ、携帯型ゲーム端末、携帯型/ウオッチドッグ型移動ルータとデジタル撮像装置）又は車載端末（例えばカーナビゲーション装置）として実現されてもよい。ユーザー機器は、マシンツーマシン（Ｍ２Ｍ）通信を実行する端末（マシン型通信（ＭＴＣ）端末とも称する）として実現されてもよい。また、ユーザー機器は、上記端末における端末ごとに取り付けられた無線通信モジュール（例えば一つのチップを含む集積回路モジュール）であってもよい。
【０１１０】
以下、図１１〜図１４を参照して本開示による応用例を記述する。
(７-１.基地局についての応用例)
(第１の応用例)
【０１１１】
図１１は、本開示内容の技術を応用できるｅＮＢの例示的配置の第一例を示すブロック図である。ｅＮＢ１１００は、一つ又は複数のアンテナ１１１０及び基地局デバイス１１２０を含む。基地局デバイス１１２０と各アンテナ１１１０は、ＲＦケーブルを介して互いに接続されてもよい。
【０１１２】
アンテナ１１１０の各々は、単一の又は複数のアンテナ素子（例えば、多入力多出力（ＭＩＭＯ）アンテナに含まれる複数のアンテナ素子）を含み、基地局デバイス１１２０による無線信号の送受信のために用いられる。ｅＮＢ１１００は、図１１に示すように、複数のアンテナ１１１０を含んでもよい。複数のアンテナ１１１０は、例えばｅＮＢ１１００の使用する複数の周波数帯域を共用してもよい。なお、図１１にはｅＮＢ１１００が複数のアンテナ１１１０を含む例を示したが、ｅＮＢ１１００は単一のアンテナ１１１０を含んでもよい。
【０１１３】
基地局デバイス１１２０は、コントローラ１１２１、メモリ１１２２、ネットワークインタフェース１１２３、及び無線通信インタフェース１１２５を含む。
【０１１４】
コントローラ１１２１は、例えばＣＰＵ又はＤＳＰであってよく、基地局デバイス１１２０の上位層の様々な機能を操作する。例えば、コントローラ１１２１は、無線通信インタフェース１１２５により処理された信号内のデータからデータパケットを生成し、生成したパケットをネットワークインタフェース１１２３を介して転送する。コントローラ１１２１は、複数のベースバンドプロセッサからのデータをバンドリングすることによりバンドルドパケットを生成し、生成したバンドルドパケットを転送してもよい。また、コントローラ１１２１は、無線リソース制御、無線ベアラ制御、移動性管理、流入制御、及びスケジューリングのような制御を実行する論理的な機能を有してもよい。また、当該制御は、周辺のｅＮＢ又はコアネットワークノードと連携して実行されてもよい。メモリ１１２２は、ＲＡＭ及びＲＯＭを含み、コントローラ１１２１により実行されるプログラム、及び様々な制御データ（例えば、端末リスト、伝送パワーデータ及びスケジューリングデータ）を記憶する。
【０１１５】
ネットワークインタフェース１１２３は、基地局デバイス１１２０をコアネットワーク１１２４に接続するための通信インタフェースである。コントローラ１１２１はネットワークインタフェース１１２３を介してコアネットワークノード又は他のｅＮＢと通信してもよい。この場合、ｅＮＢ１１００とコアネットワークノード又は他のｅＮＢとはロジックインタフェース(例えばＳ１インタフェースとＸ２インタフェース)により互いに接続される。ネットワークインタフェース１１２３は有線通信インタフェース、又は無線バックホールのための無線通信インタフェースであってもよい。ネットワークインタフェース１１２３が無線通信インタフェースであると、ネットワークインタフェース１１２３は無線通信インタフェース１１２５により使用される周波数帯域よりも高い周波数帯域を無線通信に使用してもよい。
【０１１６】
無線通信インタフェース１１２５は、任意のセルラー通信方式（例えば、長期進化ＬＴＥ（Ｌｏｎｇ  Ｔｅｒｍ  Ｅｖｏｌｕｔｉｏｎ）、ＬＴＥ−Ａｄｖａｎｃｅｄ）をサポートし、アンテナ１１１０を介して、ｅＮＢ１１００のセル内に位置する端末までの無線接続を提供する。無線通信インタフェース１１２５は、一般的に、例えばベースバンド（ＢＢ）プロセッサ１１２６及びＲＦ回路１１２７を含んでもよい。ＢＢプロセッサ１１２６は、例えば、符号化/復号化、変調/復調及び多重化/逆多重化を実行してもよく、そして層(例えばＬ１、媒体アクセス制御(ＭＡＣ)、無線リンク制御(ＲＬＣ)、パケットデータ収束プロトコル(ＰＤＣＰ))の様々な信号処理を実行する。コントローラ１１２１の代わりに、ＢＢプロセッサ１１２６は上記ロジック機能の一部又は全部を有してもよい。ＢＢプロセッサ１１２６は通信制御プログラムを記憶するメモリであってもよく、又はプログラムを実行するように配置されるプロセッサ及び関連する回路を含むモジュールであってもよい。ＢＢプロセッサ１１２６の機能はプログラムの更新により変更可能であってもよい。当該モジュールは基地局デバイス１１２０のスロットに挿入されるカード若しくはブレードであってもよい。代わりに、当該モジュールはカード若しくはブレードに搭載されるチップであってもよい。一方、ＲＦ回路１１２７は例えばミキサ、フィルタ及びアンプを含んでもよく、アンテナ１１１０を介して無線信号を送受信する。
【０１１７】
図１１に示すように、無線通信インタフェース１１２５は複数のＢＢプロセッサ１１２６を含んでもよい。例えば、複数のＢＢプロセッサ１１２６はｅＮＢ１１００が使用する複数の周波数帯域を共用してもよい。図１１に示すように、無線通信インタフェース１１２５は複数のＲＦ回路１１２７を含んでもよい。例えば、複数のＲＦ回路１１２７は複数のアンテナ素子と共用されてもよい。図１１は無線通信インタフェース１１２５に複数のＢＢプロセッサ１１２６と複数のＲＦ回路１１２７とを含む例を示したが、無線通信インタフェース１１２５は単一のＢＢプロセッサ１１２６又は単一のＲＦ回路１１２７を含んでもよい。
(第２の応用例)
【０１１８】
図１２は、本開示内容の技術を応用できるｅＮＢの概略的配置の第二例を示すブロック図である。ｅＮＢ１２３０は一つ又複数のアンテナ１２４０と、基地局デバイス１２５０と、ＲＲＨ１２６０とを含んでもよい。ＲＲＨ１２６０は各アンテナ１２４０とＲＦケーブルケーブルを介して互いに接続されてもよい。基地局デバイス１２５０とＲＲＨ１２６０は例えば光ファイバケーブルの高速回線で互いに接続されてもよい。
【０１１９】
アンテナ１２４０の各々は、単一の又は複数のアンテナ素子（例えば、ＭＩＭＯアンテナに含まれる複数のアンテナ素子）を含み、ＲＲＨ１２６０による無線信号の送受信のために用いられる。図１２に示すように、ｅＮＢ１２３０は複数のアンテナ１２４０を含んでもよい。例えば、複数のアンテナ１２４０はｅＮＢ１２３０が使用する複数の周波数帯域を共用してもよい。図１２はｅＮＢ１２３０が複数のアンテナ１２４０を含む例を示したが、ｅＮＢ１２３０は単一のアンテナ１２４０を含んでもよい。
【０１２０】
基地局デバイス１２５０は、コントローラ１２５１、メモリ１２５２、ネットワークインタフェース１２５３、無線通信インタフェース１２５５、及び接続インタフェース１２５７を含む。コントローラ１２５１、メモリ１２５２、及びネットワークインタフェース１２５３は図１８を参照して記述されたコントローラ１８２１、メモリ１８２２、及びネットワークインタフェース１８２３と同じである。
【０１２１】
無線通信インタフェース１２５５は、任意のセルラー通信方式(例えばＬＴＥ、ＬＴＥ−Ａｄｖａｎｃｅｄ)をサポートし、ＲＲＨ１２６０とアンテナ１２４０とを介してＲＲＨ１２６０に対応するセクタ内に位置する端末までの無線接続を提供する。無線通信インタフェース１２５５は、一般的に、例えばＢＢプロセッサ１２５６を含んでもよい。ＢＢプロセッサ１２５６が接続インタフェース１２５７を介してＲＲＨ１２６０のＲＦ回路１２６４と接続されることを除き、ＢＢプロセッサ１２５６は図１１を参照して記述されたＢＢプロセッサ１１２６と同じである。図１２に示すように、無線通信インタフェース１２５５は複数のＢＢプロセッサ１２５６を含んでもよい。例えば、複数のＢＢプロセッサ１２５６はｅＮＢ１２３０が使用する複数の周波数帯域を共用してもよい。図１２は無線通信インタフェース１２５５が複数のＢＢプロセッサ１２５６を含む例を示したが、無線通信インタフェース１２５５は単一のＢＢプロセッサ１２５６を含んでもよい。
【０１２２】
接続インタフェース１２５７は、基地局デバイス１２５０(無線通信インタフェース１２５５)をＲＲＨ１２６０に接続するためのインタフェースである。接続インタフェース１２５７は基地局デバイス１２５０(無線通信インタフェース１２５５)をＲＲＨ１２６０に接続する上記高速回線での通信のための通信モジュールであってもよい。
【０１２３】
ＲＲＨ１２６０は、接続インタフェース１２６１と無線通信インタフェース１２６３とを含む。
【０１２４】
接続インタフェース１２６１は、ＲＲＨ１２６０(無線通信インタフェース１２６３)を基地局デバイス１２５０に接続するためのインタフェースである。接続インタフェース１２６１は上記高速回線での通信のための通信モジュールであってもよい。
【０１２５】
無線通信インタフェース１２６３は、アンテナ１２４０を介して無線信号を送受信する。無線通信インタフェース１２６３は、一般的に、例えばＲＦ回路１２６４を含んでもよい。ＲＦ回路１２６４は、例えばミキサ、フィルタ及びアンプなどを含んでもよく、アンテナ１２４０を介して無線信号を送受信する。図１２に示すように、無線通信インタフェース１２６３は複数のＲＦ回路１２６４を含んでもよい。例えば、複数のＲＦ回路１２６４は複数のアンテナ素子をサポートし得る。図１２は無線通信インタフェース１２６３が複数のＲＦ回路１２６４を含む例を示したが、無線通信インタフェース１２６３は単一のＲＦ回路１２６４を含んでもよい。
【０１２６】
図１１と図１２に示すｅＮＢ１８００とｅＮＢ１２３０において、上記電子機器１００、２００における通信ユニットは、無線通信インタフェース１１２５、無線通信インタフェース１２５５及び/又は無線通信インタフェース１２６３により実現されてもよい。電子機器１００における取得ユニット１０２と確定ユニット１０４、及び電子機器２００における生成ユニット、セル間リソース配置ユニット２０２、セル内リソース配置ユニット２０４と確定ユニット２０６の機能の少なくとも一部はコントローラ１１２１とコントローラ１２５１により実現されてもよい。
(７-２.ユーザー機器についての応用例)
(第１の応用例)
【０１２７】
図１３は、本開示内容の技術を応用できるスマートフォン１３００の概略的配置の例を示すブロック図である。スマートフォン１３００は、プロセッサ１３０１、メモリ１３０２、記憶装置１３０３、外部接続インタフェース１３０４、撮像装置１３０６、センサ１３０７、マイクロフォン１３０８、入力装置１３０９、表示装置１３１０、スピーカ１３１１、無線通信インタフェース１３１２、一つ又は複数のアンテナスイッチ１３１５、一つ又は複数のアンテナ１３１６、バス１３１７、バッテリー１３１８、及び補助コントローラ１３１９を含む。
【０１２８】
プロセッサ１３０１は、例えばＣＰＵ又はＳＯＣであってもよく、スマートフォン１３００のアプリケーションレイヤ及びその他のレイヤの機能を制御する。メモリ１３０２はＲＡＭとＲＯＭを含み、データと、プロセッサ１３０１により実行されるプログラムを記憶する。記憶装置１３０３は記憶媒体、例えば半導体メモリ又はハードディスクを含んでもよい。外部接続インタフェース１３０４は、外部装置(例えばメモリーカード又はＵＳＢデバイス)をスマートフォン１３００に接続するためのインタフェースである。
【０１２９】
撮像装置１３０６は、画像センサ(例えばＣＣＤ（ＣｈａｒｇｅＣｏｕｐｌｅｄＤｅｖｉｃｅ）、ＣＭＯＳ（Ｃｏｍｐｌｅｍｅｎｔａｒｙ  ＭｅｔａｌＯｘｉｄｅＳｅｍｉｃｏｎｄｕｃｔｏｒ）)を含み、キャプチャ画像を生成する。センサ１３０７は例えば、測定センサ、ジャイロセンサ、地磁気センサ及び加速度センサなどのセンサ群を含んでもよい。マイクロフォン１３０８はスマートフォン１３００に入力される音声を音声信号に変換する。入力装置１３０９は例えば表示装置１３１０のスクリーン上のタッチを検出するように配置されるタッチセンサ、キーパッド、キーボード、ボタン又はスイッチを含み、ユーザーから入力される操作又は情報を受信する。表示装置１３１０はスクリーン(例えば液晶ディスプレイ(ＬＣＤ)、有機発光ダイオード(ＯＬＥＤ)ディスプレイ)を含み、スマートフォン１３００の出力画像を表示する。スピーカ１３１１はスマートフォン１３００から出力される音声信号を音声に変換する。
【０１３０】
無線通信インタフェース１３１２は、任意のセルラー通信方式(例えばＬＴＥ、ＬＴＥ−Ａｄｖａｎｃｅｄ)をサポートし、無線通信を実行する。無線通信インタフェース１３１２は、一般的に、例えばＢＢプロセッサ１３１３とＲＦ回路１３１４とを含んでもよい。ＢＢプロセッサ１３１３は例えば符号化/復号化、変調/復調及び多重化/逆多重化を実行してもよく、無線通信のための様々な信号処理を実行する。一方、ＲＦ回路１３１４は例えばミキサ、フィルタ及びアンプを含んでもよく、アンテナ１３１６を介して無線信号を送受信する。無線通信インタフェース１３１２はＢＢプロセッサ１３１３とＲＦ回路１３１４を集積したワンチップのモジュールであってもよい。図１３に示すように、無線通信インタフェース１３１２は複数のＢＢプロセッサ１３１３と複数のＲＦ回路１３１４を含んでもよい。図１３は無線通信インタフェース１３１２が複数のＢＢプロセッサ１３１３と複数のＲＦ回路１３１４を含む例を示したが、無線通信インタフェース１３１２は単一のＢＢプロセッサ１３１３又は単一のＲＦ回路１３１４を含んでもよい。
【０１３１】
また、セルラー通信方式を除き、無線通信インタフェース１３１２は他の種類の無線通信方式、例えばデバイス・ツー・デバイス（Ｄ２Ｄ）通信方式、近距離無線通信方式、近接無線通信方式又は無線ＬＡＮ（ＬｏｃａｌＡｒｅａＮｅｔｗｏｒｋ）方式をサポートしてもよい。この場合、無線通信インタフェース１３１２は無線通信方式ごとのＢＢプロセッサ１３１３とＲＦ回路１３１４を含んでもよい。
【０１３２】
アンテナスイッチ１３１５の各々は、無線通信インタフェース１３１２に含まれる複数の回路（例えば、異なる無線通信方式のための回路）の間でアンテナ１３１６の接続先を切り替える。
【０１３３】
アンテナ１３１６の各々は、単一の又は複数のアンテナ素子（例えば、ＭＩＭＯアンテナに含まれる複数のアンテナ素子）を含み、無線通信インタフェース１３１２による無線信号の送受信のために用いられる。図１３に示すように、スマートフォン１３００は複数のアンテナ１３１６を含んでもよい。図１３はスマートフォン１３００が複数のアンテナ１３１６を含む例を示したが、スマートフォン１３００は単一のアンテナ１３１６を含んでもよい。
【０１３４】
また、スマートフォン１３００は無線通信方式ごとにアンテナ１３１６を含んでもよい。この場合、アンテナスイッチ１３１５はスマートフォン１３００の構成から省略されてもよい。
【０１３５】
バス１３１７は、プロセッサ１３０１、メモリ１３０２、記憶装置１３０３、外部接続インタフェース１３０４、撮像装置１３０６、センサ１３０７、マイクロフォン１３０８、入力装置１３０９、表示装置１３１０、スピーカ１３１１、無線通信インタフェース１３１２及び補助コントローラ１３１９を互いに接続する。バッテリー１３１８は図で破線で部分的に示した支線を介して図１３に示すスマートフォン１３００の各ブロックに電力を供給する。補助コントローラ１３１９は例えば、スリープモードにおいて、スマートフォン１３００の必要最低限の機能を動作させる。
【０１３６】
図１３に示すスマートフォン１３００において、上記電子機器６００における通信ユニットは無線通信インタフェース１３１２により実現されてもよい。第１の情報生成ユニット６０２と、第２の情報生成ユニット６０４の機能の少なくとも一部はプロセッサ１３０１又は補助コントローラ１３１９により実現されてもよい。
(第二の応用例)
【０１３７】
図１４は、本開示の技術を応用できるカーナビゲーションデバイス１４２０の概略的な構成の一例を示すブロック図である。カーナビゲーションデバイス１４２０は、プロセッサ１４１４、メモリ１４２２、ＧＰＳモジュール１４２４、センサ１４２５、データインタフェース１４２６、コンテンツプレーヤ１４２７、記憶媒体インタフェース１４２８、入力装置１４２９、表示装置１４３０、スピーカ１４３１、無線通信インタフェース１４３３、一つ又は複数のアンテナスイッチ１４３６、一つ又は複数のアンテナ１４３７及びバッテリー１４３８を含む。
【０１３８】
プロセッサ１４２１は例えばＣＰＵ又はＳｏＣであってもよく、カーナビゲーションデバイス１４２０のナビゲーション機能及びその他の機能を制御する。メモリ１４２２はＲＡＭとＲＯＭを含み、データと、プロセッサ１４１４により実行されるプログラムを記憶する。
【０１３９】
ＧＰＳモジュール１４２４は、ＧＰＳ衛星から受信されるＧＰＳ信号を用いて、カーナビゲーション装置１４２０の位置（例えば、緯度、経度及び高度）を測定する。センサ１４２５は、例えば、ジャイロセンサ、地磁気センサ及び気圧センサのセンサ群を含んでもよい。データインタフェース１４２６は、図示しない端末を介して例えば、車載ネットワーク１４４１に接続され、車両で生成されるデータ(例えば車速データ)を取得する。
【０１４０】
コンテンツプレーヤ１４２７は、記憶媒体インタフェース１４２８に挿入される記憶媒体（例えば、ＣＤ又はＤＶＤ）に記憶されているコンテンツを再生する。入力装置１４２９は例えば表示装置１４３０のスクリーン上のタッチを検出するように配置されるタッチセンサ、ボタン又はスイッチを含み、ユーザーから入力される操作又は情報を受信する。表示装置１４３０は例えばＬＣＤ又はＯＬＥＤディスプレイのスクリーンを含み、ナビゲーション機能の画像又は再生されるコンテンツを表示する。スピーカ１４３１は、ナビゲーション機能の音声又は再生されるコンテンツを出力する。
【０１４１】
無線通信インタフェース１４３３は、任意のセルラー通信方式(例えばＬＴＥ、ＬＴＥ−Ａｄｖａｎｃｅｄ)をサポートし、無線通信を実行する。無線通信インタフェース１４３３は、一般的に、例えばＢＢプロセッサ１４３４とＲＦ回路１４３５とを含んでもよい。ＢＢプロセッサ１４３４は例えば符号化/復号化、変調/復調及び多重化/逆多重化を実行してもよく、無線通信のための様々なタイプの信号処理を実行する。一方、ＲＦ回路１４３５は例えばミキサ、フィルタ及びアンプを含んでもよく、アンテナ１４３７を介して無線信号を送受信する。無線通信インタフェース１４３３はＢＢプロセッサ１４３４とＲＦ回路１４３５を集積したワンチップのモジュールであってもよい。図１４に示すように、無線通信インタフェース１４３３は複数のＢＢプロセッサ１４３４と複数のＲＦ回路１４３５を含んでもよい。図１４は無線通信インタフェース１４３３が複数のＢＢプロセッサ１４３４と複数のＲＦ回路１４３５を含む例を示したが、無線通信インタフェース１４３３は一つのＢＢプロセッサ１４３４又は一つのＲＦ回路１４３５を含んでもよい。
【０１４２】
また、セルラー通信方式を除き、無線通信インタフェース１４３３は他の種類の無線通信方式、例えば、デバイス・ツー・デバイス（Ｄ２Ｄ）通信方式、近距離無線通信方式、近接無線通信方式又は無線ＬＡＮ方式をサポートしてもよい。この場合、無線通信方式ごとに、無線通信インタフェース１４３３はＢＢプロセッサ１４３４とＲＦ回路１４３５を含んでもよい。
【０１４３】
アンテナスイッチ１４３６の各々は、無線通信インタフェース１４３３に含まれる複数の回路（例えば、異なる無線通信方式のための回路）の間でアンテナ１４３７の接続先を切り替える。
【０１４４】
アンテナ１４３７の各々は、一つの又は複数のアンテナ素子（例えば、ＭＩＭＯアンテナに含まれる複数のアンテナ素子）を含み、無線通信インタフェース１４３３による無線信号の送受信のために用いられる。図１４に示すように、カーナビゲーションデバイス１４２０は複数のアンテナ１４３７を含んでもよい。図１４はカーナビゲーションデバイス１４２０が複数のアンテナ１４３７を含む例を示したが、カーナビゲーションデバイス１４２０は一つのアンテナ１４３７を含んでもよい。
【０１４５】
カーナビゲーションデバイス１４２０は無線通信方式ごとにアンテナ１４３７を含んでもよい。この場合、アンテナスイッチ１４３６はカーナビゲーションデバイス１４２０の構成から省略されてもよい。
【０１４６】
バッテリー１４３８は、図で破線で部分的に示した支線を介して、図１４に示したカーナビゲーション装置１４２０の各ブロックに電力を供給する。また、バッテリー１４３８は、車両側から給電される電力を蓄積する。
【０１４７】
図１４に示すカーナビゲーション装置１４２０において、上記電子機器６００における通信ユニットは、無線通信インタフェース１４３３により実現されてもよい。第１の情報生成ユニット６０２、第２の情報生成ユニット６０４の機能の少なくとも一部はプロセッサ１４２１により実現されてもよい。
【０１４８】
本開示の内容の技術は、カーナビゲーション装置１４２０と、車載ネットワーク１４４１と、車両モジュール１４４２との一つ又は複数のブロックを含む車載システム（又は車両）１４４０として実現されてもよい。車両モジュール１４４２は車両データ（例えば車速、エンジン回転数、故障情報）を生成し、生成したデータを車載ネットワーク１４４１に出力する。
【０１４９】
以上で図面を参考して本開示の好適な実施例を記述したが、本開示はもちろん以上の例に限定されない。当業者であれば、付随する特許請求の範囲で、各種の変更、修正を得ることができ、これらの変更、修正は本発明の保護範囲に入ることは理解すべきである。
【０１５０】
例えば、以上の実施例において一つのユニットに含まれる複数の機能は、別々の装置により実現されてもよい。代わりに、以上の実施例において複数のユニットにより実現される複数のユニットはそれぞれ別々の装置により実現されてもよい。また、以上の機能の一つは複数のユニットにより実現されてもよい。このような構成は本開示の技術的範囲に含まれることは言うまでもない。
【０１５１】
当該明細書において、フローチャートに記述されるステップは、上記順序で時系列に従って実行される処理を含むだけではなく、必ず時系列に従う必要がなく並行又は独立に実行される処理を含む。また、時系列に従って処理するステップにおいて、当該順序を適宜に変更してもよい。
【０１５２】
本開示及びその利点を詳細に説明したが、添付の特許請求の範囲によって限定される本開示の精神及び範囲から逸脱することなく、様々な変更、置換又は変形を行うことができると理解される。そして、本開示の実施例の用語である「含む」や「包含」又は他の変更用語は、排他的包含をカバーすることを意味することにより、一連の要素を含む手順、方法、物品又はデバイスは、それらの要素だけでなく、明確に記載されていない他の要素や、この手順、方法、物品又はデバイスに固有された要素も含む。さらに限定されていない場合、「一つの．．．を含む」で限定された要素は、前記要素の手順、方法、物品又はデバイスにもその他の同じ要素も含む可能性がある。
【図１】
2020516087.tif 000004
【図２】
2020516087.tif 000005
【図３】
2020516087.tif 000006
【図４】
2020516087.tif 000007
【図５Ａ】
2020516087.tif 000008
【図５Ｂ】
2020516087.tif 000009
【図６】
2020516087.tif 000010
【図７】
2020516087.tif 000011
【図８】
2020516087.tif 000012
【図９】
2020516087.tif 000013
【図１０】
2020516087.tif 000014
【図１１】
2020516087.tif 000015
【図１２】
2020516087.tif 000016
【図１３】
2020516087.tif 000017
【図１４】
2020516087.tif 000018
【国際調査報告】
2020516087.tif 000019
2020516087.tif 000020
2020516087.tif 000021
2020516087.tif 000022